(57)【要約】【課題】一枚のシートから帽子の周縁だけに付けた裁断線を裁断して、帽子の用途や好みに合わせた様々な形状の鍔付き帽子を製作するために、直線定規と分度器などを利用して、ダーツ縫いするために重ね合わせるダーツ縫合線の重ね合わせ点であるダーツ合点を定めることを課題とする。【解決手段】頂角の二等分線と二等辺三角形の底辺の関係を基に、二等辺三角形の底点をダーツ合点とし、ダーツ先端と一方のダーツ合点を結ぶダーツ縫合線と軸対称に、もう一方のダーツ合点を結ぶダーツ縫合線を設けることを特徴とする。【選択図】図１
2011168918.tif 000002
【特許請求の範囲】
【請求項１】
一枚のシートから鍔付き帽子を製作する方法において、トップクラウン中心を頂点とし、１０度から６０度のなかのある一定角度を中心角にして連続する直線を分割線とし、隣り合う分割線の中心角の上記角度を二等分した中心角で分割線と隣り合う直線を中央線とし、中央線に直交する直線と分割線との交点を頂点とし、中央線から頭周りの長さ÷３６０度×上記一定角度÷２で算出した距離にある直線を平行線とし、分割線上にトップクラウン外周点およびクラウン外周点を定め、トップクラウン外周点をダーツ先端とし、クラウン外周点を直交点として分割線に直交する直線と平行線との交点をクラウンダーツ合点とし、ダーツ先端とクラウンダーツ合点を結んでクラウンダーツ縫合線とし、平行線から分割線までの範囲の中で、クラウンダーツ合点から鍔の長さにある鍔外周と分割線に直交する直線との交点を鍔ダーツ合点とし、鍔ダーツ合点とクラウンダーツ合点を結んで鍔ダーツ縫合線とし、鍔ダーツ縫合線をクラウンダーツ縫合線に連続させたダーツ縫合線を重ね合わせてダーツ縫い線とし、分割線ごとに、分割線の片側にあるダーツ縫合線と軸対称にもう一方側のダーツ縫合線を定め、さらに、隣り合う分割線の間で、二つの鍔ダーツ合点あるいは鍔ダーツ合点とクラウンダーツ合点を結ぶ鍔の外周線、または、二つのクラウンダーツ合点を結ぶクラウンの外周線に折返し代あるいは縫代を加えて裁断した後、分割線ごとに、分割線の両側にあるダーツ縫合線をそれぞれ重ね合わせてダーツ縫いすることを特徴とする鍔付き帽子を製作する方法。
【発明の詳細な説明】
【技術分野】
【０００１】
本発明は、一枚のシートから帽子の周縁だけに付けた裁断線を裁断して、一定間隔に設けたダーツ縫い線をダーツ縫いして鍔付き帽子を製作する方法に関するものである。
【背景技術】
【０００２】
従来、ほとんどの鍔付き帽子を縫製する場合には、複数のパーツごとに裁断し、それぞれのパーツを接ぎ合わせている。例えば、ハット型鍔付き帽子はトップクラウン部、サイドクラウン部、および、クラウン外周全体に連続する鍔部に分けられ、また、キャップ型鍔付き帽子はクラウン部を形成する複数個のクラウン片とクラウン外周の前頭部のみに連続する鍔部に分けられ、それぞれパーツごとに裁断した後で、パーツごとに印付けられた縫製線を接ぎ合わせて製作している。ハット型帽子とキャップ型帽子の中間のような形状のサンバイザー型鍔付き帽子も同様に、クラウン部と、前頭部から側頭部および後頭部のクラウン外周に沿って鍔の付け根から鍔の外周までの長さを次第に縮小している鍔部に分けられ、それぞれパーツごとに裁断した後で、パーツごとに印付けられた縫製線を接ぎ合わせて製作している。
【０００３】
このように、帽子のパーツごとに縫製線および裁断線を付け、パーツごとに裁断することや裁断したパーツに付けた縫製線を縫製すること、さらに、縫製した後の縫代の始末を行なうことなどは手間隙が掛かり面倒なものである。しかも、好みや用途に合わせた形状のクラウンや鍔を製作することは大変手間の掛かる作業になる。
【０００４】
そこで、本出願人は、裁断や縫製および縫製線の変更などの作業を面倒なく手間隙掛けずに鍔付き帽子を製作するために、一枚のシートから帽子の周縁だけに付けた裁断線を裁断して鍔付き帽子を製作する方法の一つを特許出願している（特許文献１）。
【先行技術文献】
【特許文献】
【０００５】
【特許文献１】特願２００８−３２０７４７
【発明の概要】
【発明が解決しようとする課題】
【０００６】
然しながら、特許文献１では、一枚のシートから帽子の周縁だけに付けた裁断線を裁断して鍔付き帽子を製作するために、円形方眼図を利用してダーツ縫いするためのダーツ重ね合わせ点を定める方法をとっているが、直線定規と分度器を利用してダーツ重ね合わせ点を定めることも可能である。また、特許文献１は、鍔の形状がクラウン外周全体に鍔の付け根があるハット型鍔付き帽子を製作する方法に関するものであり、クラウンと鍔の付け根の角度がクラウン外周の大きさにより定められてしまうため、様々な鍔の形状を作図する方法とは言えない。従って、本発明は、直線定規と分度器を使用して作図することもできる作図方法を課題とし、併せて、帽子の用途や好みに合わせた様々な形状の鍔付き帽子を一枚のシートから帽子の周縁だけに付けた裁断線を裁断して製作することを課題とする。
【課題を解決するための手段】
【０００７】
本発明は、一枚のシートから帽子の周縁だけに付けた裁断線を裁断して、帽子の用途や好みに合わせた様々な形状の鍔付き帽子を製作するために、頂角の二等分線と二等辺三角形の底辺の関係を基に、二等辺三角形の底点をダーツ合点とし、ダーツ先端と一方のダーツ合点を結ぶダーツ縫合線と、もう一方のダーツ合点を結ぶダーツ縫合線を軸対称に設け、軸対称のダーツ縫合線を重ね合わせてダーツ縫いすることを特徴とする。
【発明の効果】
【０００８】
本発明は、３０ｃｍ程の長さの直線定規と分度器を使用して直接シートに作図することができる。また、縫製に手馴れた人は、クラウンのダーツ縫合線（クラウンにダーツを入れるための縫製線）や鍔のダーツ縫合線（鍔の縫い合わせ線）などを定めなくても、クラウンや鍔のダーツ合点をそれぞれ重ね合わせてダーツ縫いして縫製することもできる。
【０００９】
本発明は、特許文献１に比べ、より様々に好みや用途に合わせてクラウンおよび鍔を容易にデザインして、オリジナルな帽子を製作することができる。
【００１０】
特許文献１と同様に、従来の帽子の製作方法に比べ、不慣れな人でも好みの大きさの帽子を容易に作図することができ、容易に裁断および縫製することができる。
【図面の簡単な説明】
【００１１】
【図１】ダーツ縫合線を定める手順を説明する図であり、１図は分割線の両側にクラウンダーツ合点を定めた図、２図はクラウンダーツ縫合線を設けた図、３図は鍔ダーツ合点を定め鍔ダーツ縫合線を設けた図、４図は分割線上に鍔ダーツ合点を定め、鍔ダーツ縫合線を設けた図である。
【図２】実施例１の作図手順を説明する図であり、１図は分割線の両側にクラウンダーツ合点を定めた図、２図はクラウンダーツ縫合線を設けた図、３図はクラウンダーツ縫合線に鍔ダーツ縫合線を足した図、４図は二つの分割線の間に外周線を設けた図、５図は外周線に縫代を付け加えた図、６図は実施例１の図である。
【図３】サンバイザー型鍔付き帽子の実施の１例の図である。（実施例１）
【図４】鍔の付け根でタック縫いすることを示す作図の１例である。（実施例２）
【図５】ダーツ線を設けない部分があることを示す作図の１例である。（実施例３）
【図６】キャップ型鍔付き帽子の実施の１例の作図である。（実施例４）
【図７】前頭部を細かくダーツ縫いすることを示す作図の１例である。（実施例５）
【図８】本発明の方法で製作した鍔付き帽子の１例である。
【発明を実施するための形態】
【００１２】
本発明は、一枚のシートから帽子の周縁だけに裁断線を付け、好みの箇所に設けたダーツ縫合線を重ね合わせてダーツ縫いして鍔付き帽子を製作する方法に関するものである。該方法の一つとして、円形方眼図を利用することで容易にダーツ合点を定めることができる方法を考え、既に特許出願（特許文献１）をしているが、本発明は、頂角の二等分線と二等辺三角形の底辺の関係を基にダーツ合点を定めることを特徴としており、直線定規と分度器を使用して作図することもできる。先ず、図１を参照して、ダーツ縫いするために重ね合わせるダーツ縫合線を軸対称に作図する１例の手順を、以下、箇条書きにして説明する。
【００１３】
１．点ａから所定の長さの直線１を引く。
２．直線１上に、点ｂと点ｃを印付ける。
３．点ａを頂点とし、直線１が頂角を等分するように隣り合う直線２を定める。
４．隣り合う直線２の頂点を直線１上で移動した直線２の平行線を直線３とする。
５．直線１に点ｃを直交点として直交する直線４を定める。
６．直線３と直線４の一方の交点ｄおよびもう一方の交点ｅを印付ける。
７．点ｂと点ｄを結ぶ一方の縫合線５を描く。
８．一方の縫合線５と軸対称に、点ｂと点ｅを結ぶもう一方の縫合線５を描く。
９．直線３から直線１までの範囲に、鍔の外周点ｇを定める。
１０．直交線６上に、直線１との直交点を中点にして点ｇと対称にある点ｈを定める。
１１．点ｄと点ｇを結び一方の縫合線７を描く。
１２．一方の縫合線７と軸対称に、点ｅと点ｈを結ぶもう一方の縫合線７を描く。
【００１４】
４図は、直線１上に点ｇあるいは点ｈを定めた場合の図である。また、上記の手順では、直線1ごとに、両側にダーツ合点やダーツ縫合線を一連に作図しているが、直線１の一方側に連続してダーツ縫合線を作図し、帽子の外周線を描く直前に、軸対称のダーツ縫合線を描いてもよい。また、軸対称のダーツ縫合線を描かずに裁断した後で、直線１を中心にしてダーツつまみを重ね合わせ、片側のダーツ縫合線に沿って待ち針を打つことで軸対称のダーツ縫合線を設けることができる。さらに、縫製に手馴れた者は、直線１を中央にして対称位置あるダーツ合点のみ印付けて、裁断した後で、直線１を中心にしてダーツつまみを重ね合わせ、ダーツ合点を待ち針で止め、ダーツ始点となるダーツ合点からダーツ先端までダーツ縫合線となるように待ち針を打ち、待ち針に沿ってダーツ縫いすることもできる。
【実施例１】
【００１５】
図２は、実施例１であるサンバイザー型鍔つき帽子の作図工程を示す実施の１例の図であり、１図から６図までパソコン用ソフトを使用して作図した。まず、実施例１では、前頭部中央のトップクラウン中心からトップクラウン外周までの距離を７．０ｃｍ、トップクラウン外周からクラウン外周までの距離を１０．０ｃｍ、また、後頭部中央のトップクラウン中心からトップクラウン外周までの距離を９．０ｃｍ、トップクラウン外周からクラウン外周までの距離を８．０ｃｍとする。そして、分割線１の数を９本とし、隣り合う分割線１の中心角の角度を３６０度÷９＝４０度とし、前頭部中央を通る分割線１を軸に左右対称にして前頭部から後頭部に向かう分割線１の順に、トップクラウン中心ａからトップクラウン外周点ｂまでの距離を７．４ｃｍ、７．９ｃｍ、８．３ｃｍ、８．８ｃｍとし、トップクラウン中心ａからクラウン外周点ｃまでの距離をそれぞれ１７．０ｃｍとする。次に、頭周り寸法を５８．０ｃｍとし、頭周り寸法（５８．０cm）÷３６０度×隣り合う分割線の中心角の角度（４０度）÷２の長さを中央線２から平行線３までの距離とする。
【００１６】
図２は、１図から６図まで水平線の下方部を作図し、その後、下方部を水平線を軸に反転転写して全体図にしている。１図から５図までの作図手順を、以下に説明する。まず、トップクラウン中心点ａを定め、点ａから左側に前頭部中央の分割線１となる水平線を実線で引く。そして、水平線の下側に、前頭部中央の分割線１から、点ａを頂点として角度４０度の中心角で連続する４本の分割線１を実線で描き、それぞれの分割線１上にトップクラウン外周点ｂおよびクラウン外周点ｃを印付ける。隣り合う分割線１の中心角の角度４０度を二等分した２０度を中心角にして分割線１と隣り合う中央線２を破線で描く。次に、それぞれの分割線１ごとに、中央線２に直交する直線と分割線１との交点を頂点とし、中央線２から頭周り寸法を９等分しさらに２等分した距離にある平行線３を定め、点ｃの周辺に破線で描く。点ｃを直交点として分割線１に直交する直線４を、平行線３との交点まで破線で描き、直線４との交点をクラウンダーツ合点として分割線１を挟んだ点ｄおよび点ｅを印付ける。以上で、１図の作業が終わる。２図では、まず、平行線３と直線４を消去し、次に、分割線１ごとに、１図で印付けた点ｂと点ｄを曲率の小さい円周で結ぶ一方の縫合線５を実線で描き、分割線１を軸に一方の縫合線５を反転複写してもう一方の点bと点ｅを結ぶ縫合線５を実線で描く。３図では、まず、点ｄまたは点ｅから鍔外周方向に平行線３を点線で描き、中央線２を消去する。次に、平行線３から分割線１までの範囲の中で、クラウンダーツ合点と鍔外周を結ぶ鍔ダーツ縫合線７の長さを、順に、５．０ｃｍ、３．５ｃｍ、１．５ｃｍ、０．０ｃｍ、０．０ｃｍとし、それぞれの分割線１ごとに、点ｄから鍔ダーツ縫合線７の長さにある点ｇを結ぶ一方の縫合線７を実線で描き、分割線１を軸に一方の縫合線７を反転複写してもう一方の点ｅと点ｈを結ぶ縫合線７を実線で描き、分割線１に直交する直線６を点ｇから点ｈまで破線で描く。鍔ダーツ縫線の長さが０．０ｃｍの場合は鍔ダーツ縫線および鍔ダーツ合点はないものとし、直線４を点ｄから点ｅまで破線で描く。４図では、まず、平行線３を消去し、隣り合う分割線１の間にある二つの鍔ダーツ合点を実線で結んだ鍔外周線８と、鍔ダーツ合点とクラウンダーツ合点を実線で結んだ鍔外周線９、および、二つのクラウンダーツ合点を実線で結んだクラウン外周線１０を、それぞれの分割線１に直交する直線６あるいは直線４で連接する。５図は、縫合線７と縫合線５および帽子の外周線を繋ぎ、さらに、帽子の外周線に１．５ｃｍの縫代を加えた裁断線１１を一点破線で描いた図である。分割線１と点ａを消去した６図は、実施例１の図であり、実施例１の型紙となる図である。
【００１７】
図３は、実施例１の図であり、実施例１の型紙としてシートに転写して、裁断線１１に沿って裁断後、軸対称になっているダーツ縫合線を重ね合わせてダーツ縫いして、サンバイザーが型鍔付き帽子を製作する。このようなサンバイザーが型鍔付き帽子は、厚みのある生地でも薄い生地でも、頭部にぴったりフィットするクラウンと、鍔の長さや幅を好みの大きさにして製作することができる。
【００１８】
図４は、３６度の中心角で連続する１０本の分割線の両側にそれぞれ軸対称のクラウンダーツ縫合線と、前頭部５本の分割線の両側にそれぞれ鍔縫合線、および、鍔になる部分と垂れ下がる部分がある帽子の外周線がある実施例２の図である。図４を薄い生地に転写し、裁断線に沿って裁断後、ダーツ縫合線をそれぞれダーツ縫いして、ダーツ縫いの始点となるダーツ合点の間にあるダーツつまみを割り開き、タック縫いして止めることで、前頭部を覆う鍔と側頭部および後頭部を覆う垂れを持つ帽子ができる。このような帽子は、頭部にぴったりフィットし、日除け効果の大きい帽子となる。
【００１９】
図５は、実施例３の図であり、前頭部５本の分割線の両側にそれぞれ鍔縫合線とクラウン縫合線を設けているだけで、クラウン部分は前頭部のみフィットし、後頭部分は垂れに続いている。鍔も同様に、前頭部に鍔があるが後頭部分は垂れになっている。図５を生地に転写した後でも、垂れの部分の長さを自由にを変えることができる。例えば、戸外で作業するときなど、顔の大部分と肩全体まで覆うことができる垂れが付いた帽子を着用することで、日除け効果はかなり大きくなる。
【００２０】
図６は、実施例４の図であり、キャップ型鍔付き帽子の実施の１例の図である。クラウンを６本のダーツ線で構成し、キャップ型鍔の中央にダーツ線が入っている。鍔ダーツ縫合線の角度を変えることで鍔の角度を好みの角度にすることができる。例えば、鍔を深くしたい場合には分割線から離れる方向に、また、鍔の角度を上げる場合には分割線に寄る方向に鍔ダーツ縫合線を定めると良い。キャップ型鍔付き帽子は比較的厚い生地を使用すると、頭部にぴったりフィットし、風の影響を受けにくい帽子を製作することができる。
【００２１】
図７は、実施例５の図であり、図６の実施例４の前頭部の部分に、さらに細かくダーツ縫合線を作図し、鍔のある部分を複数のダーツ縫い線で構成するキャップ型鍔付き帽子の実施の１例の図である。中心角を６０度とし連続する分割線の、前頭部中心となる分割線と隣り合う分割線との中央線の範囲で、中心角を１０度にして連続する分割線の両側に軸対称のクラウン縫合線と鍔縫合線を設け、それぞれ軸対称になっている縫合線鍔を重ね合わせてダーツ縫いするために作図した図である。本発明では、このように、帽子のデザインとしてダーツ縫い線を設けることもできる。また、ギャザーをとることを考慮してトップクラウン外周点からクラウン外周点までの長さを定め、ダーツ縫いする前またはダーツ縫いした後でダーツ縫合線にギャザーあるいはシャーリングを入れることで、シワを帽子のデザインとして活用することもできる。
【００２２】
図８は、本発明の方法で製作した実施の１例とする、紙に１／３の縮小サイズで作図して組み立てたハット型鍔付き帽子、前頭部の鍔に芯材を入れ側頭部と後頭部の鍔を垂らした帽子、および、鍔に芯材を入れて形を整えたキャップ型鍔付き帽子である。
【００２３】
以上、本発明に関して実施の１例をもとに具体的に説明したが、本発明の一枚のシートから鍔付き帽子を製作する手順はこれに限定されるものではない。
【符号の説明】
【００２４】
１  分割線（ダーツつまみの中心になる直線）
２  中央線（分割線に隣り合う直線）
３  平行線（中央線に平行な直線）
３Ｌ  分割線の左側にある平行線
３Ｒ  分割線の右側にある平行線
４  クラウン外周点を直交点にして分割線と直交する直線
５  クラウンダーツ縫合線（ダーツ先端とクラウンダーツ合点を結んだ縫線）
５Ｌ  分割線の左側にあるクラウンダーツ縫合線
５Ｒ  分割線の右側にあるクラウンダーツ縫合線
６  鍔外周点を直交点にして分割線と直交する直線
７  鍔ダーツ縫合線（鍔ダーツ合点とクラウンダーツ合点を結んだ鍔の縫線）
７Ｌ  分割線の左側にある鍔ダーツ縫合線
７Ｒ  分割線の右側にある鍔ダーツ縫合線
８  隣り合う分割線の間で二つの鍔ダーツ合点を結んだ鍔の外周線
９  隣り合う分割線の間で鍔ダーツ合点とクラウンダーツ合点を結んだ鍔の外周線
１０  隣り合う分割線の間で二つのクラウンダーツ合点を結んだクラウンの外周線
１１  裁断線
ａ  トップクラウン中心
ｂ  ダーツ先端、トップクラウン外周点
ｃ  クラウン外周点
ｄ  クラウンダーツ合点
ｅ  クラウンダーツ合点
ｆ  鍔外周点
ｇ  鍔ダーツ合点
ｈ  鍔ダーツ合点
【図２】
2011168918.tif 000003
【図１】
2011168918.tif 000004
【図３】
2011168918.tif 000005
【図４】
2011168918.tif 000006
【図５】
2011168918.tif 000007
【図６】
2011168918.tif 000008
【図７】
2011168918.tif 000009
【図８】
2011168918.tif 000010